(57)【要約】      （修正有）【課題】浴室内に置いたときに優れた安定性を有するシャワー用浄水器を提供する。【解決手段】シャワー用浄水器は、浄水ハウジング３と、この浄水ハウジング３内に配置した浄水カーボンフィルター５と、浄水ハウジング３の下側に取り付けた支持プレート７、からなる。浄水ハウジング３を、底部材９と、この底部材９に取り付けて浄水室１５を形成するハウジング本体１７と、から構成し、底部材９の底壁部２７に設けた入口孔２９に、供給接続パイプ３３を嵌め付け、底部材９の底壁部２７に設けた出口孔３５に、チェックバルブ３９を嵌め付ける。【選択図】図２
0003158722.tif 000002
【実用新案登録請求の範囲】
【請求項１】
内部に浄水室を形成する浄水ハウジングと、この浄水室内に配置された円筒状の浄水カーボンフィルターと、前記浄水ハウジングに設けられた入口部及び出口部と、を備え、前記入口部は、水道水ホースを介して水栓と接続され、前記浄水室内に水道水を導くように形成され、前記出口部は、シャワーヘッドを有するシャワーホースに接続され、前記浄水カーボンフィルターを通過した前記浄水室内の水道水を前記シャワーヘッドに送り出すように形成されているシャワー用浄水器であって、
前記浄水ハウジングは、前記浄水カーボンフィルターを支持するように下端部に位置する底部と、この底部の上方に前記浄水室を形成するように、前記底部に取り付けられて上方に延びるハウジング本体と、を有し、
前記入口部及び前記出口部は前記底部に設けられていて、
前記底部の下面又は下側には、前記底部及び前記ハウジング本体よりも大径の円盤状又は円形の支持プレートが設けられている、ことを特徴とするシャワー用浄水器。
【請求項２】
前記水道水ホースは、一端部が前記水栓に接続され、他端部にシャワー用ヘッドが取り付けられた既設のシャワー用ホースから前記シャワー用ヘッドを取り外したものであり、前記シャワーホースの前記シャワーヘッドは、前記シャワー用ホースから取り外した前記シャワー用ヘッドである、ことを特徴とする請求項1記載のシャワー用浄水器。
【請求項３】
前記支持プレートの下面には、複数個の突起状支持脚が設けられている、ことを特徴とする請求項1又は２記載のシャワー用浄水器。
【請求項４】
前記支持脚はゴム製である、ことを特徴とする請求項３記載のシャワー用浄水器。
【請求項５】
前記支持脚は周方向に等間隔で又はほぼ等間隔で３つ設けられ、1つの前記支持脚は、前記出口部と同一又はほぼ同一の周方向位置に配置されている、ことを特徴とする請求項３又は４記載のシャワー用浄水器。
【請求項６】
前記出口部には、前記浄水室内への水の逆流を防止するチェックバルブ又は逆止弁が設けられている、ことを特徴とする請求項１、２、３、４又は５記載のシャワー用浄水器。
【請求項７】
前記支持プレートは、前記底部の下面又は下側に、取り外し可能に設けられている、ことを特徴とする請求項１、２、３、４、５又は６記載のシャワー用浄水器。
【考案の詳細な説明】
【技術分野】
【０００１】
本考案は、シャワーに用いる水道水を浄水するシャワー用浄水器に関する。
【背景技術】
【０００２】
水道水の原水は河川水や地下水であり、この河川水や地下水を殺菌するのに塩素剤が使用されている。したがって、水道水には残留塩素が多く含まれることとなるが、この残留塩素にはたんぱく質を破壊する作用があり、水道水をそのまま使用して洗髪や身体の洗浄を繰り返すと、毛髪を傷めたり、肌荒れなどが生じてしまう。
【０００３】
そこで、シャワーヘッドの内部に活性炭などの浄化材を配置しておき、シャワーヘッドから流出するシャワー水内の残留塩素をこの浄化材で除去するシャワー浄水構造が採用されている（例えば特許文献１参照）。
【０００４】
ところが、シャワーヘッド内には少量の浄化材しか配置できないので、特許文献１記載のシャワー浄水構造では、シャワー水内の残留塩素を十分除去できない。そこで、活性炭フィルター又はカーボンフィルターなどの浄化材フィルター又は浄化フィルターを収容した浄水室を形成する浄水ハウジングを備えたシャワー用浄水器も利用されている（例えば特許文献２参照）。
【先行技術文献】
【特許文献】
【０００５】
【特許文献１】特開２００７−２９９０２号公報
【特許文献２】特開平０８−８９９４１号公報
【考案の概要】
【考案が解決しようとする課題】
【０００６】
しかしながら、特許文献２記載のシャワー用浄水器は、シャワーヘッドを有するシャワーホースが浄水器の上端に接続されるため、シャワーヘッドの取り扱い時に、シャワーホースで浄水器を引っ張ったりすると、簡単に倒れてしまうおそれがあり、使い勝手が良くない。
【０００７】
そこで本考案は、浴室内に置いたときに十分な安定性を有するシャワー用浄水器を提供することを目的とする。
【課題を解決するための手段】
【０００８】
この目的を達成するため、本考案のシャワー用浄水器は、内部に浄水室を形成する浄水ハウジングと、この浄水室内に配置された円筒状の浄水カーボンフィルターと、前記浄水ハウジングに設けられた入口部及び出口部と、を備え、前記入口部は、水道水ホースを介して水栓と接続され、前記浄水室内に水道水を導くように形成され、前記出口部は、シャワーヘッドを有するシャワーホースに接続され、前記浄水カーボンフィルターを通過した前記浄水室内の水道水を前記シャワーヘッドに送り出すように形成されているシャワー用浄水器であって、前記浄水ハウジングは、前記浄水カーボンフィルタを支持するように下端部に位置する底部と、この底部の上方に前記浄水室を形成するように、前記底部に取り付けられて上方に延びるハウジング本体と、を有し、前記入口部及び前記出口部は前記底部に設けられていて、前記底部の下面又は下側には、前記底部及び前記ハウジング本体よりも大径の円盤状又は円形の支持プレートが設けられているものである。本考案のシャワー用浄水器は、支持プレートを下側として浴室内の適当箇所に置いて使用されるが、支持プレートは底部及びハウジング本体よりも大径なので、安定性に優れている。また、本考案では、入口部及び出口部が底部に設けられているので、すなわち浄水ハウジングの下端部に設けられているので、シャワーヘッドの操作中にシャワーホースに引っ張られたりしても、浄水器が簡単に倒れてしまうといったことはない。入口部及び出口部は、径方向反対側に、すなわち周方向に１８０度離れて設けることができる。本考案のシャワー用浄水器は、出口部に接続されるシャワーホースを備えたものとすることができる。ここでは、入口部に接続される水道水ホースは、すでに水栓に一端部が接続され、他端部にシャワー用ヘッドが取り付けられた既設のシャワー用ホースからシャワー用ヘッドを取り外したものとすることができる。そして、取り外した既設のシャワー用ヘッドをシャワーホースに取り付けて使用することができる。このように構成すれば、既設のシャワーシステムに、安価にシャワー用浄水器を組み込むことができる。
【０００９】
安定性を増すために、支持プレートの下面に複数個の突起状支持脚を設けておくことが好ましい。支持プレートはプラスチック製の中実体とし、支持脚はゴム製とすることができる。支持脚を周方向に等間隔で又はほぼ等間隔で３つ設けておけば、水平面でない箇所にもシャワー用浄水器を安定して置くことが可能である。また、1つの支持脚を、出口部と同一又はほぼ同一の周方向位置に配置しておけば、特に、シャワーヘッドの操作中にシャワーホースで浄水器を引っ張ったときの浄水器の安定性を高めることができる。
【００１０】
出口部に浄水室内への水の逆流を防止するチェックバルブ（逆止弁）を設けておけば、すなわち、出口部がチェックバルブを有していれば、例えば、浴槽内の水が浄水室内に逆流するのを確実に防止することができ、飲み込むこともあるシャワー水を常に清潔に保つことが可能となるし、シャワーヘッドからの流水を積極的に飲料水とすることもできる。
【００１１】
支持プレートは、取り外し可能であることが好ましい。すなわち、複数種（大きさの異なる複数種）の支持プレートのうちから適当な支持プレートを選択して底部に取り付けることができるように構成するのが効果的である。
【考案の効果】
【００１２】
本考案では、底部及びハウジング本体よりも大径な支持プレートを用いるとともに、入口部及び出口部を底部に設けているので、安定性に優れたシャワー用浄水器を提供できる。
【図面の簡単な説明】
【００１３】
【図１】本考案に係るシャワー用浄水器の正面図である。
【図２】シャワー用浄水器の断面図である。
【図３】底部材部分の平面図である。
【図４】支持プレートの裏面図である。
【図５】底部材部分の裏面図である。
【図６】シャワー用浄水器の使用状態を示す図である。
【考案を実施するための形態】
【００１４】
図１は本考案に係るシャワー用浄水器の正面図、図２はシャワー用浄水器の断面図である。
【００１５】
シャワー用浄水器１は、浄水ハウジング３と、この浄水ハウジング３内に配置された浄水カーボンフィルター５と、浄水ハウジング３の下側に取り付けられた円盤状の支持プレート７と、を備え、浄水ハウジング３は、円形状の底部材（底部）９と、この底部材９の外周に形成された雄ネジ１１に、下端部内周に形成された雌ネジ１３をねじ付けることにより底部材９に取り付けられて、内部に浄水室１５を形成する、天井部が設けられた筒状のハウジング本体１７と、を有している。支持プレート７、底部材９及びハウジング本体１７はプラスチック製であり、ハウジング本体１７は透明体として形成されている。シャワー用浄水器１は、例えば３０ｃｍ乃至５０ｃｍの高さを有する。
【００１６】
底部材９は、低い外周壁１９を有する有底の環状体として形成されていて、外周壁１９の内側に内周壁２１を備え、この内周壁２１と外周壁１９との間に環状の水道水供給室２３を形成し、内周壁２１の内側に浄水排出室２５を提供している。底部材９の底壁部２７には、外周面から底壁部２７の中心に向かって入口孔２９が設けられ、この入口孔２９の内端部（径方向内端部）は水道水供給室２３に開口している。そして、入口孔２９の径方向外端側には、接続用先端部３１が底壁部２７の外周から突出するように、金属製の供給接続パイプ３３（入口部）が嵌め付けられている。底部材９の底壁部２７にはまた、入口孔２９と径方向反対側で、外周面から底壁部２７の中心に向かって出口孔３５が設けられ、この出口孔３５の内端部（径方向内端部）は浄水排出室２５に開口している。そして、出口孔３５の径方向外端側には、接続用先端部３７側が底壁部２７の外周から突出するように、金属製のケーシングを有するチェックバルブ（逆止弁）３９（出口部）が嵌め付けられている。なお、出口孔３５の形成により底部材９の底面４１が薄くなりすぎないように、底面４１に出口孔３５に沿って盛り上がり部４３が形成されている（図３も参照）。
【００１７】
チェックバルブ３９のケーシング内には、ディスク形の弁体４５と、この弁体４５を弁座４６に押し付けるスプリング４７とが収容され、このチェックバルブ３９は、浄水排出室２５からの水の流れ（流出）は許容するが、浄水排出室２５への水の流れ（逆流）を遮断するように機能する。また、チェックバルブ３９としては、ディスク形が用いられているが、ダイアフラム形又はボール形等を用いることも可能である。
【００１８】
浄水カーボンフィルター５は、円筒状の圧縮カーボン４９及びこの圧縮カーボン４９の外周面に設けられた不織布５１を有するフィルタ本体５３と、このフィルタ本体５３の上下両端部にそれぞれ被せられて固定されたキャップ部材５５と、このキャップ部材５５に固定された環状シール部材５７と、を備え、キャップ部材５５及び環状シール部材５７にはそれぞれ、圧縮カーボン４９の中心孔に対応する中心孔が設けられている。
【００１９】
浄水カーボンフィルター５は、底部材９の内周壁２１とハウジング本体１７の天井部とに挟まれて浄水室１５内に配置されている。内周壁２１の上端部５９は下側部６１よりも外径が小さく形成され、上端部５９と下側部６１との境界位置の外側には、環状当接支持面６３が形成されている。また、ハウジング本体１７の天井部内面には環状突出部６５が設けられていて、環状突出部６５の下側部６７は上側部６９よりも外径が小さく形成され、下側部６７と上側部６９との境界位置の外側には、環状当接支持面７１が形成されている。そして、浄水カーボンフィルター５は、内周壁２１の上端部５９が中心孔の下端部に嵌まり込み、内周壁２１の環状当接支持面６３が下側の環状シール部材５７と当接し、また、環状突出部６５の下側部６７が中心孔の上端部に嵌まり込み、環状突出部６５の環状当接支持面７１が上側の環状シール部材５７と当接する状態で支持されている。
【００２０】
支持プレート７は、裏面の外周に３つの突起状支持脚７３を有している。突起状支持脚７３は、ゴム材製であり、周方向に等間隔（１２０度間隔）で配置され、取り付けネジ７５を用いて支持プレート７の裏面に固定されている。突起状支持脚７３の１つは、チェックバルブ３９と同一の周方向位置に配置されているが、この突起状支持脚７３を、チェックバルブ３９の周方向位置から多少ずれた位置に配置することができ、また、３つの突起状支持脚７３を周方向に多少異なった角度で設けることもできる。支持プレート７の中央部には４つの取り付け孔７７が設けられていて、裏面側からこの取り付け孔７７に取り付けネジ７９を通し、低壁部２７の裏面に、取り付け孔７７に対応して４つ設けられたネジ孔８１に、この取り付けネジ７９をねじ込むことにより、支持プレート７は底部材９に固定されている。そして、取り付けネジ７９をネジ孔８１から取り外すことにより、支持プレート７を底部材９から取り外すことができる（図４及び図５も参照）。
【００２１】
図６はシャワー用浄水器１の使用状態を示す図である。
【００２２】
シャワー用浄水器１は、供給接続パイプ３３の接続用先端部３１に、一端部が水栓８３に接続された水道水ホース８５の他端部を接続し、チェックバルブ３９の接続用先端部３７に、シャワーヘッド８７を有するシャワーホース８９を接続して使用する。供給接続パイプ３３から水道水供給室２３に供給された水道水は、浄水カーボンフィルター５とハウジング本体１７との間に移動し、浄水カーボンフィルター５を通過してろ過され、浄水カーボンフィルター５内に流れ込み、浄水排出室２５を通ってチェックバルブ３９からシャワーヘッド８７に流出する。水道水ホース８５としては、水栓８３に一端部が接続され、他端部にシャワー用ヘッドが取り付けられていた既設のシャワー用ホースからシャワー用ヘッドを取り外したものが用いられている。また、シャワーヘッド８７としては、シャワー用ホースから取り外されたシャワー用ヘッドがシャワーホース８９に取り付けられて用いられている。既設のシャワー用ホースの他端部と、供給接続パイプ３３の接続用先端部３１が適合しない場合には、接続用先端部３１に、シャワー用ホースの他端部に適合するアダプタを取り付ける。また、取り外されたシャワー用ヘッドとシャワーホース８９が適合しない場合には、シャワーホース８９にシャワー用ヘッドに適合するアダプタを取り付ける。さらに、例えば、ホルダーを用いてシャワーヘッド８７を浴槽内に放水するように配置しておき、浴槽に水を溜めるためにこのシャワーヘッド８７を用いることもできる。
【産業上の利用可能性】
【００２３】
本考案のシャワー用浄水器は、安価で使い勝手のよいものである。
【符号の説明】
【００２４】
１                シャワー用浄水器
３                浄水ハウジング
５                浄水カーボンフィルター
７                支持プレート
９                底部材（底部）
１５                浄水室
１７                ハウジング本体
３３                供給接続パイプ
３９                チェックバルブ
８３                水栓
８５                水道水ホース
８７                シャワーヘッド
８９                シャワーホース
【図１】
0003158722.tif 000003
【図２】
0003158722.tif 000004
【図３】
0003158722.tif 000005
【図４】
0003158722.tif 000006
【図５】
0003158722.tif 000007
【図６】
0003158722.tif 000008